(57)【特許請求の範囲】
【請求項１】
記録媒体に記録されている情報を読み出す読取手段と、前記記録媒体に記録されている情報を外部の表示装置に表示させるための信号に変換して出力する出力手段と、前記読取手段及び前記出力手段を制御する制御手段と、を有して成る再生装置において、
前記制御手段は、
タイトルの再生手順を示すプレイリストを前記外部の表示装置に表示させるためのプレイリストモードで、前記読取手段に前記記録媒体が搬入された際に、前記読取手段に前記記録媒体の読み出し指示を送出し、
前記読取手段からの読み出し結果に基づき前記記録媒体にプレイリストと少なくともタイトル名を含むオリジナル情報とがともに記録されていないと判定した場合には、タイトルが記録されていない旨を前記外部の表示装置に表示させるための信号を前記出力手段に出力させ、
前記読取手段からの読み出し結果に基づき前記記録媒体にプレイリストは記録されておらず少なくともタイトル名を含むオリジナル情報は記録されていると判定した場合には、オリジナルモードに移行させ、前記読取手段からの読み出し結果から前記オリジナル情報を読み出し、前記オリジナル情報を前記外部の表示装置に表示させるための信号を前記出力手段に出力させることを特徴とする再生装置。
【請求項２】
記録媒体に記録されている情報を読み出す読取手段と、前記記録媒体に記録されている情報を外部の表示装置に表示させるための信号に変換して出力する出力手段と、前記読取手段及び前記出力手段を制御する制御手段と、を有して成る再生装置において、
前記制御手段は、プレイリストモードで、前記読取手段に前記記録媒体が搬入された際に、前記読取手段に前記記録媒体の読み出し指示を送出し、前記読取手段からの読み出し結果に基づき前記記録媒体にプレイリストが記録されていないと判定した場合には、オリジナルモードに移行させ、前記読取手段からの読み出し結果からオリジナル情報を読み出し、前記オリジナル情報を前記外部の表示装置に表示させるための信号を前記出力手段に出力させることを特徴とする再生装置。
【請求項３】
記録媒体に記録されている情報を読み出す読取手段と、前記記録媒体に記録されている情報を外部の表示装置に表示させるための信号に変換して出力する出力手段と、前記読取手段及び前記出力手段を制御する制御手段と、を有して成る再生装置において、
前記制御手段は、プレイリストモードで、前記読取手段に前記記録媒体が搬入された際に、前記読取手段に前記記録媒体の読み出し指示を送出し、前記読取手段からの読み出し結果に基づき前記記録媒体にプレイリストが記録されていないと判定した場合には、オリジナルモードへの移行を促す表示を前記外部の表示装置に行わせるための信号を前記出力手段に出力させることを特徴とする再生装置。
【発明の詳細な説明】
【技術分野】
【０００１】
本発明は、ＤＶＤ記録再生装置やＤＶＤ再生装置などの再生装置に関する。
【背景技術】
【０００２】
従来のＤＶＤレコーダは、そのＤＶＤドライブ内に搬入された記録媒体のＤＶＤに放送番組等をタイトルとして記録するとき、そのタイトルのタイトル名や記録日時等が後で分かるように、そのタイトルとともに、そのタイトルのタイトル名や記録日時等のオリジナル情報をＤＶＤに記録することが知られている。
【０００３】
また、従来のＤＶＤレコーダは、外部の表示装置にＤＶＤに記録されたプレイリストを表示させたり、プレイリストを作成あるいは削除したりするためのプレイリストモードにおいて、プレイリスト編集機能を用いてユーザの所望するプレイリストを作成してＤＶＤに記録したり、ＤＶＤからプレイリストを削除したりすることが可能である。なお、ＤＶＤからプレイリストが削除される際には、プレイリストに対応するタイトル及びオリジナル情報は、ＤＶＤから削除されずに記録されたままとなる。また、プレイリスト編集機能は、タイトルである映像音声データ自体は加工せずにタイトルの再生手順をプレイリストとしてＤＶＤに記録すること及びＤＶＤに記録されたプレイリストを削除することができる機能である。
【０００４】
なお、参考としてプレイリストに関する技術は、例えば、特許文献１や特許文献２に開示・提案されている。
【特許文献１】特開２００４−３１０８５０号公報
【特許文献２】特開２００５−２５８８２号公報
【発明の開示】
【発明が解決しようとする課題】
【０００５】
しかしながら、上記従来のＤＶＤレコーダでは、例えば、プレイリストモードで、ＤＶＤに記録されているプレイリストがＤＶＤドライブに読み出されて表示装置に表示された後に、ＤＶＤドライブからそのＤＶＤが取り出され、更に、プレイリストモードのままで、タイトルやオリジナル情報が記録され、プレイリストのみが記録されていないＤＶＤがＤＶＤドライブ内に搬入された後に、再生キーが押下された場合には、そのＤＶＤにプレイリストが記録されていないため、「プレイリストが一つも無いため、再生できません」などのエラーメッセージが表示装置に表示されてしまう。或いは、プレイリストモードのままで、タイトルやオリジナル情報が記録され、プレイリストが記録されていないＤＶＤがＤＶＤドライブ内に搬入されると、プレイリストが表示装置に表示されない。
【０００６】
このような場合、特に初心のユーザは、ＤＶＤに放送番組を録画（すなわち、タイトル及びオリジナル情報を記録）したはずなのに、ＤＶＤが再生できなくなった、或いは、プレイリストが表示できなくなった等と考えた末に、ＤＶＤが壊れてしまった等の勘違いをしてしまう可能性があった。
【０００７】
本発明は、上記の課題に鑑み、タイトルやオリジナル情報が記録され、プレイリストのみが記録されていない記録媒体が、プレイリストモードにおいて、読取手段に搬入された際に、ユーザが誤認識することを防止する再生装置を提供することを目的とする。
【課題を解決するための手段】
【０００８】
上記目的を達成するために、本発明に係る再生装置は、記録媒体に記録されている情報を読み出す読取手段と、前記記録媒体に記録されている情報を外部の表示装置に表示させるための信号に変換して出力する出力手段と、前記読取手段及び前記出力手段を制御する制御手段と、を有して成り、前記制御手段は、タイトルの再生手順を示すプレイリストを前記外部の表示装置に表示させるためのプレイリストモードで、前記読取手段に前記記録媒体が搬入された際に、前記読取手段に前記記録媒体の読み出し指示を送出し、前記読取手段からの読み出し結果に基づき前記記録媒体にタイトル名を少なくとも含むオリジナル情報が記録されていないと判定した場合には、タイトルが記録されていない旨を前記外部の表示装置に表示させるための信号を前記出力手段に出力させ、前記読取手段からの読み出し結果に基づき前記記録媒体にタイトル名を少なくとも含むオリジナル情報は記録されておりプレイリストは記録されていないと判定した場合には、オリジナルモードに移行させ、前記読取手段からの読み出し結果から前記オリジナル情報を読み出し、前記オリジナル情報を前記外部の表示装置に表示させるための信号を前記出力手段に出力させる構成とされている。
【０００９】
このような構成とされることにより、タイトルやオリジナル情報が記録され、プレイリストのみが記録されていない記録媒体が、プレイリストモードにおいて、読取手段に搬入された際に、自動的にオリジナルモードに移行するため、記録媒体にタイトルが記録されていることをユーザに知らせることが可能となる。そのため、記録媒体にタイトルが記録されているにもかかわらず、記録媒体が壊れてしまった等のユーザの勘違いやその勘違いに伴う誤操作を防止することが可能となる。また、プレイリストのみが記録媒体に記録されていないときに、ユーザがリモコン操作によりプレイリストモードからオリジナルモードへ切り換える手間を省くことが可能となる。また、このような構成とされることにより、オリジナル情報が記録されていない記録媒体が、プレイリストモードにおいて、読取手段に搬入された際に、タイトルが記録されていない旨が外部の表示装置によって表示されるため、ユーザが記録媒体の記録状態を容易に把握することができる。
【００１０】
本発明に係る再生装置は、記録媒体に記録されている情報を読み出す読取手段と、前記記録媒体に記録されている情報を外部の表示装置に表示させるための信号に変換して出力する出力手段と、前記読取手段及び前記出力手段を制御する制御手段と、を有して成り、前記制御手段は、プレイリストモードで、前記読取手段に前記記録媒体が搬入された際に、前記読取手段に前記記録媒体の読み出し指示を送出し、前記読取手段からの読み出し結果に基づき前記記録媒体にプレイリストが記録されていないと判定した場合には、オリジナルモードに移行させ、前記読取手段の読み出し結果からオリジナル情報を読み出し、前記オリジナル情報を前記外部の表示装置に表示させるための信号を前記出力手段に出力させる構成とされている。
【００１１】
このような構成とされることにより、タイトルやオリジナル情報が記録され、プレイリストのみが記録されていない記録媒体が、プレイリストモードにおいて、読取手段に搬入された際に、自動的にオリジナルモードに移行するため、記録媒体にタイトルが記録されていることをユーザに知らせることが可能となる。そのため、記録媒体にタイトルが記録されているにもかかわらず、記録媒体が壊れてしまった等のユーザの勘違いやその勘違いに伴う誤操作を防止することが可能となる。また、プレイリストのみが記録媒体に記録されていないときに、ユーザがリモコン操作によりプレイリストモードからオリジナルモードへ切り換える手間を省くことが可能となる。
【００１２】
本発明に係る再生装置は、記録媒体に記録されている情報を読み出す読取手段と、前記記録媒体に記録されている情報を外部の表示装置に表示させるための信号に変換して出力する出力手段と、前記読取手段及び前記出力手段を制御する制御手段と、を有して成り、前記制御手段は、プレイリストモードで、前記読取手段に前記記録媒体が搬入された際に、前記読取手段に前記記録媒体の読み出し指示を送出し、前記読取手段からの読み出し結果に基づき前記記録媒体にプレイリストが記録されていないと判定した場合には、オリジナルモードへの移行を促す表示を前記外部の表示装置に行わせるための信号を前記出力手段に出力させる構成とされている。
【００１３】
このような構成とされることにより、タイトルやオリジナル情報が記録され、プレイリストのみが記録されていない記録媒体が、プレイリストモードにおいて、読取手段に搬入された際に、外部の表示装置がオリジナルモードへの移行を促す表示を行うので、ユーザがその誘導に従ってプレイリストモードからオリジナルモードへ切り換える操作を行うことで、外部の表示装置にタイトル名等のオリジナル情報が表示され、記録媒体にタイトルが記録されていることをユーザに知らせることが可能となる。そのため、記録媒体にタイトルが記録されているにもかかわらず、記録媒体が壊れてしまった等のユーザの勘違いやその勘違いに伴う誤操作を防止することが可能となる。
【発明の効果】
【００１４】
上記したように、本発明に係る再生装置であれば、タイトルやオリジナル情報が記録され、プレイリストのみが記録されていない記録媒体が、プレイリストモードにおいて、読取手段に搬入された際に、記録媒体にタイトルが記録されていることをユーザに知らせることが可能となり、ユーザが誤認識することを防止することができる。
【発明を実施するための最良の形態】
【００１５】
以下、本実施形態では、本発明に係る再生装置をＤＶＤレコーダに適用した場合を例に挙げて図面を参照し説明する。図１は、本発明に係るＤＶＤレコーダ１の要部構成を示すブロック図である。
【００１６】
本実施形態のＤＶＤレコーダ１は、図１に示すように、アンテナ２に接続されるチューナ３と、ＤＶＤドライブ４と、圧縮伸張部５と、制御部６と、メモリ部７と、ＯＳＤ[On Screen Display]部８と、画像出力部９と、音声出力部１０と、リモートコントローラ１３（以下、リモコン１３と呼ぶ）からの赤外線信号を受信するリモートコントローラ受信部１１（以下、リモコン受信部１１と呼ぶ）と、操作部１２とを備えている。
【００１７】
制御部６は、ＣＰＵ［Central Processing Unit］等から成り、装置全体の制御を行う。
【００１８】
メモリ部７は、各種制御プログラム等が格納されたＲＯＭ［Read Only Memory］、ワーク領域として用いられるＲＡＭ［Random Access Memory］等から成る。
【００１９】
アンテナ２は、複数の放送チャンネルを含む放送電波を受信し高周波信号をチューナ３に送出する。チューナ３は、制御部６から指示されるチャンネルに対応する高周波信号を抽出し映像音声情報を圧縮伸張部５に送出する。
【００２０】
圧縮伸張部５は、チューナ３から入力される映像音声情報を圧縮しＤＶＤドライブ４に送出する。また、圧縮伸張部５は、ＤＶＤドライブ４から入力される圧縮された映像音声情報を伸張し、映像情報をＯＳＤ部８に送出し、音声情報を音声出力部１０に送出する。
【００２１】
ＤＶＤドライブ４は、タイトルの再生や記録を行うための記録媒体であるＤＶＤをＤＶＤドライブ４の内外に搬入搬出するためのトレイ（不図示）を有し、制御部６からの指示に応じて、トレイ（不図示）をＤＶＤドライブ４の内部に搬入したり、ＤＶＤドライブ４の外部に搬出したりする。
【００２２】
また、ＤＶＤドライブ４は、制御部６からの指示により、圧縮伸張部５から入力される圧縮された映像音声情報を内部に搬入されたＤＶＤに記録させたり、ＤＶＤから圧縮された映像音声情報を読み出して圧縮伸張部５に送出したりする。
【００２３】
ＯＳＤ部８は、制御部６からの指示により図形文字情報を生成し画像出力部９に送出したり、圧縮伸張部５から入力される映像情報に図形文字情報を合成して画像出力部９に送出したりする。
【００２４】
画像出力部９は、ＯＳＤ部８から入力される図形文字情報や、映像情報と図形文字情報が合成された情報をビデオ信号に変換して、テレビ等の表示装置（不図示）に送出する。また、音声出力部１０は、圧縮伸張部５から入力される音声情報をアナログ信号に変換し、表示装置（不図示）に送出する。
【００２５】
リモコン受信部１１は、リモコン１３からの赤外線信号を受信してコード信号に変換し、そのコード信号を制御部６に送出する。
【００２６】
リモコン１３は、ユーザが操作してＤＶＤレコーダ１のモードをプレイリストモードや後述するオリジナルモードに移行させるためのプレイリストモードキー（不図示）やオリジナルモードキー（不図示）の他に、ユーザが本装置に対して各種操作を行うための各種キー（不図示）を有し、それらのキー操作に応じた赤外線信号をリモコン受信部１１に送出する。
【００２７】
操作部１２は、ユーザが操作して本装置のモードをプレイリストモードやオリジナルモードに移行させるためのプレイリストモードキー（不図示）やオリジナルモードキー（不図示）の他に、ユーザが本装置に対して各種操作を行うための各種キー（不図示）を有し、それらのキー操作に応じたコード信号を制御部６に送出する。
【００２８】
なお、本実施形態で用いるプレイリスト、オリジナル情報、プレイリストモード、及びオリジナルモードを以下に定義しておく。
【００２９】
プレイリストとは、単数或いは複数のタイトルの再生手順がリストにされた情報であり、プレイリストが作成されてＤＶＤに記録される場合には、タイトル自体は加工されない。また、オリジナル情報とは、タイトルのタイトル名や記録日時等のタイトルの情報である。
【００３０】
また、プレイリストモードとは、ＤＶＤに記録されたプレイリストの表示装置への表示、プレイリストの作成や削除等のプレイリストの編集、及びプレイリストを利用したタイトルの再生等を実行するためのモードである。また、オリジナルモードとは、ＤＶＤに記録されたオリジナル情報の表示装置への表示、及びユーザがリモコン１３や操作部１２を操作して選択したタイトル名に対応するタイトルの再生等を実行するためのモードである。なお、ＤＶＤに記録されているタイトルとそのタイトルのオリジナル情報は、通常、互いに関連付けられてＤＶＤに記録されているものであり、プレイリストも対応するタイトルに関連付けられてＤＶＤに記録されているものである。
【００３１】
次に、上記構成から成る本実施形態のＤＶＤレコーダ１の特徴的動作であるプレイリストモード時にＤＶＤドライブ４によりＤＶＤの搬出搬入動作が行われた際のモード移行動作について図を参照して以下に説明を行う。図２は、本実施形態のＤＶＤレコーダ１におけるプレイリストモード時にＤＶＤドライブ４によりＤＶＤの搬出搬入動作が行われた際のモード移行動作を説明するためのフローチャートである。
【００３２】
なお、本フローの開始時点では、本実施形態のＤＶＤレコーダ１は、プレイリストモードの状態であり、表示装置には、制御部６の制御によって、プレイリストモード用の所定の画像が表示されていることとする。
【００３３】
本実施形態のＤＶＤレコーダ１では、プレイリストモードにおいて、ステップＳ２−１で、リモコン受信部１１がリモコン１３からＤＶＤドライブ４のトレイを搬出するための赤外線信号を受信すると、リモコン受信部１１は、制御部６へＤＶＤドライブ４のトレイを搬出するためのコード信号を送出する。そして、制御部６は、そのコード信号を受信し、ＤＶＤドライブ４にトレイを搬出させる搬出指示を送出する。そして、ＤＶＤドライブ４は、そのトレイの搬出指示を受信し、その搬出指示に基づきＤＶＤドライブ４のトレイを搬出する。
【００３４】
続いて、ステップＳ２−２で、ユーザによってＤＶＤ４のトレイにＤＶＤが置かれた後、リモコン受信部１１は、リモコン１３からＤＶＤドライブ４のトレイを搬入するための赤外線信号を受信すると、制御部６へＤＶＤドライブ４のトレイを搬入するためのコード信号を送出する。そして、制御部６は、そのコード信号を受信し、ＤＶＤドライブ４にトレイを搬入させる搬入指示を送出する。そして、ＤＶＤドライブ４は、そのトレイの搬入指示を受信し、その搬入指示に基づきＤＶＤドライブ４のトレイを内部に搬入した後に、制御部６へトレイの搬入が完了した旨の信号を送出する。
【００３５】
続いて、ステップＳ２−３で、制御部６は、ＤＶＤドライブ４に読み出し指示を行い、ＤＶＤドライブ４からの読み出し結果に基づきＤＶＤにタイトルのオリジナル情報が記録されているか否か判定する。このとき、ＤＶＤにタイトルのオリジナル情報が記録されていない場合には（Ｓ２−３ＮＯ）、ステップＳ２−４で、制御部６は、ＯＳＤ部８に図形文字情報を生成するよう指示し、その後、ＤＶＤにタイトルが記録されていない旨が表示装置に表示され終了する。また、このとき、ＤＶＤにタイトルのオリジナル情報が記録されている場合には（Ｓ２−３ＹＥＳ）、更に、ステップＳ２−５に進む。
【００３６】
続いて、ステップＳ２−５で、制御部６は、ＤＶＤドライブ４からの読み出し結果に基づきプレイリストが記録されているか否か判定する。このとき、ＤＶＤにプレイリストが記録されている場合には（Ｓ２−５ＹＥＳ）、ステップＳ２−６で、制御部６は、ＤＶＤドライブ４からの読み出し結果からプレイリストを読み出し、プレイリストに基づきＯＳＤ部８に図形文字情報に生成するように指示する。そして、画像出力部９は、ＯＳＤ部８からそのプレイリストに対応する図形文字情報を受信した後、そのプレイリストに対応する図形文字情報をビデオ信号に変換して表示装置に送出する。そして、表示装置には、ＤＶＤに記録されているプレイリストが表示される。
【００３７】
また、ＤＶＤにプレイリストが記録されていない場合には（Ｓ２−５ＮＯ）、ステップＳ２−７で、制御部６は、プレイリストモードからオリジナルモードへの移行を自動的に行う。そして、制御部６は、ＤＶＤドライブ４からの読み出し結果からオリジナル情報を読み出し、オリジナル情報に基づきＯＳＤ部８に図形文字情報に生成するように指示する。そして、画像出力部９は、ＯＳＤ部８からそのオリジナル情報に対応する図形文字情報を受信した後、そのオリジナル情報に対応する図形文字情報をビデオ信号に変換して表示装置に送出する。そして、表示装置には、図３に示すように、ＤＶＤに記録されているオリジナル情報が表示される。
【００３８】
上記したように、本実施形態のＤＶＤレコーダ１であれば、タイトルやオリジナル情報が記録され、プレイリストのみが記録されていないＤＶＤが、プレイリストモードで、ＤＶＤドライブ４のトレイにより内部に搬入された際に、自動的にプレイリストモードからオリジナルモードへ移行し、外部の表示装置にタイトル名等のオリジナル情報が表示されるため、ＤＶＤにタイトルが記録されていることをユーザに知らせることが可能となる。そのため、ＤＶＤにタイトルが記録されているにもかかわらず、ＤＶＤが壊れてしまった等のユーザの勘違いやその勘違いに伴う誤操作を防止することが可能となる。また、プレイリストのみがＤＶＤに記録されていないときに、ユーザがリモコン１３の操作によりプレイリストモードからオリジナルモードへ切り換える手間を省くことが可能となる。
【００３９】
なお、上記実施形態のステップＳ２−７において、制御部６の制御によって、自動的にプレイリストモードからオリジナルモードへの移行が行われずに、制御部６の制御によって、表示装置に「プレイリストモードが設定されていますが、ＤＶＤにプレイリストが記録されていませんので、オリジナルモードに切り換えますか？」等のメッセージが表示されてもよい。このように、表示装置がオリジナルモードへの移行を促す表示を行うと、ユーザがその誘導に従ってプレイリストモードからオリジナルモードへ切り換える操作を行うことで、外部の表示装置にタイトル名等のオリジナル情報が表示されるため、ＤＶＤにタイトルが記録されていることをユーザに知らせることが可能となる。そのため、ＤＶＤにタイトルが記録されているにもかかわらず、ＤＶＤが壊れてしまった等のユーザの勘違いやその勘違いに伴う誤操作を防止することが可能となる。
【００４０】
また、上記実施形態では、ユーザによってリモコン１３が操作されたときのＤＶＤレコーダ１の動作を説明したが、ユーザによって操作部１２がリモコン１３と同様に操作されてもよい。
【００４１】
また、上記実施形態では、記録再生装置であるＤＶＤレコーダを例に挙げて説明を行ったが、再生装置であるＤＶＤプレーヤーに本発明が適用されてもよい。
【００４２】
また、本発明の構成は、上記実施形態のほか、発明の主旨を逸脱しない範囲で種々の変更を加えることが可能である。
【産業上の利用可能性】
【００４３】
本発明は、ＤＶＤレコーダの他に、ＤＶＤ再生装置等の再生装置に幅広く適用することが可能である。
【図面の簡単な説明】
【００４４】
【図１】は、本発明に係るＤＶＤレコーダ１の要部構成を示すブロック図である。
【図２】は、本実施形態のＤＶＤレコーダ１におけるプレイリストモード時にＤＶＤドライブ４によりＤＶＤの搬出搬入動作が行われた際のモード移行動作を説明するためのフローチャートである。
【図３】は、外部の表示装置に表示されたオリジナル情報の一例を示す図である。
【符号の説明】
【００４５】
１    ＤＶＤレコーダ
２    アンテナ
３    チューナ
４    ＤＶＤドライブ
５    圧縮伸張部
６    制御部
７    メモリ部
８    ＯＳＤ部
９    画像出力部
１０    音声出力部
１１    リモコン受信部
１２    操作部
１３    リモコン
【図１】
0004670735.tif 000002
【図２】
0004670735.tif 000003
【図３】
0004670735.tif 000004